(57)【要約】      （修正有）【課題】炎天下であってもエサを元気な状態で保存することができるエサ箱を提供する。【解決手段】エサ箱は、エサ箱本体１２を備える。エサ箱本体は断熱性を有し、内部に仕切板１３が嵌め込まれている。仕切板は、収容室１６を保冷剤収容室１７とエサ収容室１８に二分割する。保冷剤収容室の体積は、収容室の体積の６．５％である。仕切板には８個の円形孔３４からなる通路１９が形成され、エサ収容室内の水は、この通路を通って保冷剤収容室との間を対流する。【選択図】図５
0003200561.tif 000002
【実用新案登録請求の範囲】
【請求項１】
上面が開放され且つ内部に収容室が形成された断熱性容器からなるエサ箱本体と、
上記収容室内に設けられ、当該収容室を保冷剤収容室及びエサ収容室に区画すると共に当該保冷剤収容室とエサ収容室とを連通する通路が形成された仕切板とを有するエサ箱。
【請求項２】
上記仕切板は、上記収容室の容積に対する保冷剤収容室の容積の割合を１０％以上３５％以下に設定する位置に配置されている請求項１に記載のエサ箱。
【請求項３】
上記通路は上記仕切板を貫通する貫通孔からなり、当該貫通孔の面積は、上記仕切板の面積の６％以上２５％以下に設定されている請求項１又は２に記載のエサ箱。
【請求項４】
上記通路は、５個以上１６個以下の円形孔からなる請求項３に記載のエサ箱。
【請求項５】
上記保冷剤収容室に保冷剤が収容されており、
当該保冷剤の外形形状は上記保冷剤収容室の内壁面形状に対応しており、上記保冷剤の表面に複数の凹部が形成されている請求項１から４のいずれかに記載のエサ箱。
【請求項６】
上記エサ箱本体を覆うケースがさらに設けられており、
当該ケースは、上記エサ箱本体の上面を開閉する断熱性蓋を備えている請求項１から５のいずれかに記載のエサ箱。
【請求項７】
上記断熱性蓋は、閉じられた状態で上記保冷剤収容室を露出させる窓を有し、且つ当該窓を開閉する断熱性扉が設けられている請求項６に記載のエサ箱。
【請求項８】
上記エサ箱本体の上面に載置され、上記収容室内に垂下するエサ収容網がさらに設けられている請求項１から７のいずれかに記載のエサ箱。
【請求項９】
上記エサ箱本体のエサ収容室に空気を供給する空気供給装置がさらに設けられている請求項１から８のいずれかに記載のエサ箱。
【請求項１０】
上記エサ収容室に収容されたエサをすくい取るエサ取得網がさらに設けられている請求項１から９のいずれかに記載のエサ箱。
【考案の詳細な説明】
【技術分野】
【０００１】
この考案は、釣エサ（特にスジエビ等の生きエサ）を収容するエサ箱の構造に関するものである。
【背景技術】
【０００２】
釣りのターゲット（対象魚）に応じたさまざまな種類の釣りエサが販売されている。特定のターゲットに対しては生きエサが採用され、従来から生きエサを収容するエサ箱が提案されている。釣人は、購入した生きエサをエサ箱に収容し、釣場へ持ち込む。
【０００３】
たとえばスジエビを生きたまま収容するタイプのエサ箱が従来から提供されている（たとえば、特許文献１及び特許文献２参照）。このタイプのエサ箱は、液密性のある収容室を有し、この収容室に釣りスジエビと共に水が収容されるようになっている。しかも、スジエビに酸素を供給するための空気ポンプが装備されているものもある。釣人がこのようなエサ場を使用することにより、スジエビ等のエサが長時間にわたって生きたまま保存される。
【先行技術文献】
【特許文献】
【０００４】
【特許文献１】特開２００１−２６９０７９号公報
【特許文献２】特開２００４−３３１８０号公報
【考案の概要】
【考案が解決しようとする課題】
【０００５】
ところで、気温が高くなる夏期の釣りでは屋外にエサ箱を設置すると、当然に収容されている水の温度が上昇し、場合によってはエサが死滅することも懸念される。そのため、保冷材を備えたエサ箱が提案されている（特許文献２参照）。
【０００６】
しかし、特許文献２に記載されたエサ箱は、保冷材が収容室の底部にしかも収容室を区画する壁面の外側に配置されている。保冷材が主要室の外側に配置されることにより、収容室内の冷え過ぎが防止されているのであろうと思われるが、かかる構造では、収容室を区画する壁面の断熱性を高くすることができない。なぜなら、当該壁面の断熱性が高くなると、当該壁面により保冷材の効果が遮断されるからである。上記壁面の断熱性がそれほど高くないとすれば、炎天下において収容室内の水の温度の上昇を抑えることが困難になるという新たな問題が生じる。
【０００７】
本考案はかかる背景のもとになされたものであって、その目的は、炎天下であっても釣りエサを元気な状態で保存することができるエサ箱を提供することである。
【課題を解決するための手段】
【０００８】
(1) 本考案に係るエサ箱は、上面が開放され且つ内部に収容室が形成された断熱性容器からなるエサ箱本体と、上記収容室内に設けられ、当該収容室を保冷剤収容室及びエサ収容室に区画すると共に当該保冷剤収容室とエサ収容室とを連通する通路が形成された仕切板とを有する。
【０００９】
このエサ箱は、エサ収容室にさまざまな釣エサを収容し保存することができる。エサ収容室に生きたスジエビ等が水と共に収容され且つ保冷剤収容室に保冷剤が収容されることにより、水温の上昇が抑えられた状態でスジエビ等が生きたまま保存される。上記エサ収容室と保冷剤収容室とを区画する仕切板に通路が形成されているから、この通路を介してエサ収容室及び保冷剤収容室間を上記水が対流する。これにより、エサ収容室内の水温の上昇は確実に抑えられる。
【００１０】
(2) 上記仕切板は、上記収容室の容積に対する保冷剤収容室の容積の割合を１０％以上３５％以下に設定する位置に配置されているのが好ましい。
【００１１】
この構成によれば、保冷剤の影響が抑えられ、エサ収容室が冷えすぎることが防止される。
【００１２】
(3) 上記通路は上記仕切板を貫通する貫通孔からなり、当該貫通孔の面積は、上記仕切板の面積の６％以上２５％以下に設定されているのが好ましい。
【００１３】
この構成では、上記通路を介して水がエサ収容室及び保冷剤収容室間を対流する速度が抑えられる。つまり、エサ収容室が冷えすぎることが防止される。
【００１４】
(4) 上記通路は、５個以上１６個以下の円形孔からなるのが好ましい。
【００１５】
この構成では、複数の円形孔が上記仕切板に配置されることになるので、上記水が均等にエサ収容室及び保冷剤収容室間を対流する。したがって、エサ収容室内の水の温度も均等になるという利点がある。
【００１６】
(5) 上記保冷剤収容室に保冷剤が収容されていてもよい。この場合、当該保冷剤の外形形状は上記保冷剤収容室の内壁面形状に対応しており、上記保冷剤の表面に複数の凹部が形成されているのが好ましい。
【００１７】
この構成では、保冷剤は、保冷剤収容室に嵌め込まれて保持される。ただし、保冷剤収容室と保冷剤との間に形成される隙間が狭くなるので、上記水の対流が阻害される傾向にある。しかし、この保冷剤の表面に複数の凹部が形成されているから、保冷剤の表面積が増大し、保冷剤収容室の内壁面と保冷剤との間の隙間が十分に確保される。したがって、上記水の対流が阻害されることはなく、エサ収容室内の水の温度の上昇が確実に防止される。
【００１８】
(6) 上記エサ箱本体を覆うケースがさらに設けられていてもよい。当該ケースは、上記エサ箱本体の上面を開閉する断熱性蓋を備えているのが好ましい。
【００１９】
この構成では、エサ箱本体がケースによって保護される。しかも、ケースに設けられた断熱性蓋によって上記エサ箱本体の開口が閉じられるので、上記エサ収容室内の水の温度の上昇が確実に防止される。また、断熱性蓋が開放されることにより、上記開口が露出するので、エサ箱本体がケースに収容されていても、エサが容易にエサ収容室から取り出される。
【００２０】
(7) 上記断熱性蓋は、閉じられた状態で上記保冷剤収容室を露出させる窓を有し、且つ当該窓を開閉する断熱性扉が設けられているのが好ましい。
【００２１】
この構成では、断熱性蓋が閉じられた状態であっても断熱性扉が開かれることにより上記保冷剤収容室が露出する。したがって、断熱性蓋が開放されなくても断熱性扉が開けられるだけで、保冷剤が簡単に交換される。
【００２２】
(8) 上記エサ箱本体の上面に載置され、上記収容室内に垂下するエサ収容網がさらに設けられているのが好ましい。
【００２３】
この構成によれば、たとえばスジエビなどがエサ収容室に収容される場合に、上記エサ収容網の中に入れられる。これにより、スジエビがエサ収容室の隅部に隠れてしまうことが防止される。つまり、釣人は、容易にエサをエサ収容室から取り出すことができる。
【００２４】
(9) 上記エサ箱本体のエサ収容室に空気を供給する空気供給装置がさらに設けられているのが好ましい。
【００２５】
この構成では、エサ収容室に収容された水に空気（酸素）を供給することができる。これにより、エサが生きたまま長時間にわたって保存される。
【００２６】
(10)上記エサ収容室に収容されたエサをすくい取るエサ取得網がさらに設けられているのが好ましい。
【００２７】
この構成では、エサの種類にかかわらずエサ取得網によって簡単にエサがエサ収容室から取り出される。
【考案の効果】
【００２８】
この考案によれば、仕切板に設けられた通路を介してエサ収容室内の水が保冷剤収容室と行き来するので、エサ収容室内の水の温度の上昇は確実に抑えられる。このように、水の対流により水温上昇が抑えられるので、たとえば炎天下においてもエサ収容室内の水の温度は一定に保たれ、釣エサが生きたまま保存される。
【図面の簡単な説明】
【００２９】
【図１】図１は、本考案の一実施形態に係るエサ箱の外観斜視図である。
【図２】図２は、本考案の一実施形態に係るエサ箱の外観斜視図である。
【図３】図３は、本考案の一実施形態に係るエサ箱の外観斜視図である。
【図４】図４は、本考案の一実施形態に係るエサ箱の一部分解斜視図である。
【図５】図５は、本考案の一実施形態に係るエサ箱本体の斜視図である。
【図６】図６は、本考案の一実施形態に係るエサ箱本体の分解斜視図である。
【図７】図７は、本考案の一実施形態に係るエサ箱本体の平面図である。
【図８】図８は、本考案の一実施形態に係る仕切板の斜視図である。
【図９】図９は、図１におけるIX−IX断面図である。
【考案を実施するための形態】
【００３０】
以下、本考案の好ましい実施形態が、適宜図面が参照されながら説明される。
【００３１】
１．エサ箱１０の概略と特徴点
【００３２】
図１ないし図４は、本考案の一実施形態に係るエサ箱の外観斜視図である。
【００３３】
図１及び図２が示すように、エサ箱１０は、可撓性を有するケース１１と、このケース１１に収容されたエサ箱本体１２と、エサ箱本体１２に設けられた仕切板１３及び保冷剤１４と、エサ箱本体１２に取り付けられたエサ収容網１５（図３及び図４参照）を有する。このエサ箱１０は、さまざまな釣エサを収容保存することができ、釣人は、このエサ箱１０にエサを収容して釣場に持ち込むことができる。本実施形態に係るエサ箱１０の仕様は、スジエビを生きたまま収容するのに適したものとなっている。
【００３４】
本実施形態に係るエサ箱１０の特徴とするところは、（１）エサ箱本体１２が断熱性を備えた容器から構成されており、内部に収容室１６が形成されている点、（２）上記仕切板１３が収容室１６を所定の割合で保冷剤収容室１７とエサ収容室１８に二分割している点、及び（３）保冷剤収容室１７とエサ収容室１８との間を水が対流することができるように、仕切板１３に通路１９が形成されている点である。これにより、エサ箱１０は、炎天下においてもスジエビを生きたまま長時間にわたって保存することができるようになっている。
【００３５】
２．エサ箱本体
【００３６】
図５は、エサ箱本体１２の斜視図である。図６及び図７は、エサ箱本体１２の分解斜視図及び平面図である。図８は、仕切板１３の斜視図である。
【００３７】
図５及び図６が示すように、エサ箱本体１２は、内箱２０及び外箱２１を備えており、全体として直方体の外形を呈する。外箱２１は、発泡樹脂（典型的には発泡スチロール）からなる。外箱２１は底を有する容器状に形成されており、直方体の外形を呈する。外箱２１の内部に内箱嵌合空間２２（図６参照）が形成されている。外箱２１の上縁部外側に段部２３が形成されており、この段部２３は、内箱２０が載置される座部を構成している。
【００３８】
内箱２０は、全体として直方体の外形を呈する。内箱２０は、樹脂（典型的にはポリプロピレン）からなる。内箱２０の上面２４（実用新案登録請求の範囲に記載された「上面」に相当）は開放されており、開口２５が形成されている。この開口２５に連続して内箱２０の内部に上記収容室１６が形成されている。上記開口２５の周縁部にフランジ２６が形成されている。このフランジ２６の外縁２７の形状は、外箱２１の外壁面２８の形状に対応している。内箱２０が外箱２１の内箱嵌合空間２２に嵌め込まれると、上記フランジ２６の外縁２７が外箱２１の外壁面２８と滑らかに連続するようになっている（図５参照）。この状態で、内箱２０の底面及び側面が外箱２１によって覆われる。
【００３９】
図５及び図７が示すように、上記収容室１６の内部に仕切板固定部２９が設けられている。この仕切板固定部２９は、収容室１６の対向する内壁面３０、３１に設けられている。各仕切板固定部２９は、一対のリブ３２、３３からなり、これらは所定の隙間を空けて対向配置されている。本実施形態では、リブ３２、３３は、内箱２０と一体的に形成されているが、別部材として形成され、上記内壁面３０、３１に固定されてもよい。上記隙間の寸法は、仕切板１３の肉厚寸法に対応している。したがって、後述のように、仕切板１３は、リブ３２、３３の間に挿入されて着脱自在に支持されるようになっている。
【００４０】
本実施形態では、内箱２０及び外箱２１の外形形状は直方体である。そのため、上記収容室１６は直方体状の空間を形成しており、その断面形状は矩形である。もっとも、内箱２０及び外箱２１の外形形状は、特に限定されるものではない。すなわち、内箱２０は内部に収容室１６が形成されていれば他の立体構造を備えていてもよい。その場合、収容室１６が形成する空間は、直方体状以外の形状であってもよい。外箱２１の外形形状も特に限定されるものではなく、内箱２０を覆って断熱作用を発揮するものであればよい。したがって、外箱２１を構成する材料は、発泡樹脂に限定されるものではなく、外箱２１が断熱性を備えるものであれば他の材料が採用され得る。
【００４１】
３．仕切板
【００４２】
図８が示すように、仕切板１３は、樹脂（典型的にはポリプロピレン）からなり、その外形形状は、矩形である。仕切板１３の下縁角部３５が面取加工されているのは、上記収容室１６の角部の形状（不図示）に対応されたものである。上記収容室１６の角部の形状が湾曲されていない場合は、上記面取加工は不要である。仕切板１３の外形形状は、上記内箱２０に形成された収容室１６の断面形状（すなわち内壁面形状）に対応している。したがって、収容室１６の形状が異なれば、これに対応して仕切板１３の外形形状も変化される。
【００４３】
仕切板１３の肉厚は、本実施形態では５ｍｍに設定されている。だたし、仕切板の肉厚は特に限定されるものではない。仕切板１３に８つの円形孔３４（実用新案登録請求の範囲に記載された「通路」及び「貫通孔」に相当）が設けられている。各円形孔３４は、仕切板１３を貫通しており、その内径は、１５ｍｍである。各円形孔３４は、内箱２０の左右方向３６及び上下方向に均等に配置されている。すなわち、同図が示すように、仕切板１３の中央に上下方向３７に沿って所定の間隔を空けて二つの円形孔３４ａ、３４ｂが設けられており、これら円形孔３４ａ、３４ｂの左右両側にそれぞれ円形孔３４ｃ、３４ｄ、３４ｅが配置されている。円形孔３４ｃは、円形孔３４ａ、３４ｂの中央位置に配置され、円形孔３４ｄ、３４ｅは、円形孔３４ｃを挟んで上下方向に均等に配置されている。しかも、円形孔３４ｄは、円形孔３４ａよりも上側に配置され、円形孔３４ｅは、円形孔３４ｂよりも下側に配置されている。つまり、８つの円形孔３４は、仕切板１３の中央を基準に均等に展開するように配置されている。複数の円形孔３４が均等に配置されることによる作用効果については後述される。もっとも、円形孔３４の数は特に限定されるものではなく、また、複数の円形孔３４が均等に配置されなくてもよい。
【００４４】
本実施形態では、円形孔３４の合計面積は、仕切板１３の面積に対して６．５％に設定されている。円形孔３４の合計面積がかかる比率に設定されることによる作用効果については後述される。もっとも、円形孔３４の合計面積の比率は、４．８％〜２５％に設定され、好ましくは、６％以上２５％以下である。本実施形態では、円形孔３４の内径は１５ｍｍであるが、これに限定されることなく、１０ｍｍ〜３０ｍｍに設定され得る。また、円形孔３４の形状は円であるが、これに代えて他の形状の貫通孔が設けられてもよい。
【００４５】
図７が示すように、仕切板１３が内箱２０に挿入されることにより、収容室１６は、保冷剤収容室１７とエサ収容室１８に分割される。本実施形態では、仕切板１３を支持する仕切板固定部２９が所定の位置に設けられており、収容室１６の長手方向３９の寸法がＡ：Ｂとなるように分割されている。これにより、収容室１６の容積に対する保冷剤収容室１７の容積の割合が１２％となっている。もっとも、この割合は、１０％以上３５％以下に設定され得る。収容室１６の容積に対する保冷剤収容室１７の容積の割合が前述のように設定されることによる作用効果については後述される。
【００４６】
４．保冷剤
【００４７】
図５及び図６が示すように、保冷剤１４は、上記保冷剤収容室１７に収容されている。この保冷剤１４は、樹脂製のケース３８を備え、このケース３８の内部にポリアクリル酸ナトリウムが封入されている。ケース３８は、肉厚の矩形板状に形成されている。ケース３８の厚み寸法Ｃは、収容室１６の上記寸法Ａに対応している。ケース３８の幅寸法Ｄは、収容室１６の幅寸法Ｅ(図７参照）に対応している。なお、ケース３８の高さ寸法は、収容室１６の深さに対応しており、保冷剤１４は、収容室１６から突出することはない。つまり、保冷剤１４の外形形状は、保冷剤収容室１７の内壁面形状に対応しており、保冷剤１４は、保冷剤収容室１７にぴったりと挿入され、嵌め合わされる。
【００４８】
本実施形態では、ケース３８の表面に複数の凹部３９〜４２が設けられている。これらの凹部３９〜４２が設けられていることによる作用効果は後述される。また、ケース３８は、上部に把手４３を備えている。これにより、釣人は、把手４３を持って保冷剤１４を保冷剤収容室１７に出し入れすることができる。
【００４９】
５．エサ収容網
【００５０】
図３及び図４が示すように、このエサ箱１０は、上記エサ収容網１５を備えている。このエサ収容網１５は、上記内箱２０のエサ収容室１８に挿入されている。エサ収容網１５は、網本体４５と、取付枠４６と、錘枠４７とを有する。網本体４５は、樹脂（典型的にはポリアミド）からなり、上面が開放された直方体の器状に形成されている。このため、網本体４５は、エサ収容室１８の内壁面に沿って配置されるようになっている。取付枠４６は、金属（典型的にはステンレス鋼）からなる。取付枠４６は、本実施形態では丸棒部材が矩形に屈曲されており、網本体４５の上面周縁部に固定されている。取付枠４６の形状は、上記エサ収容室１８の形状に対応している。すなわち、取付枠４６は、エサ箱本体１２の上面２４のうちエサ収容室１８を取り囲む部分に載置されるように形成されている。錘枠４７も金属（典型的にはステンレス鋼）からなる。錘枠４７も丸棒部材が矩形に屈曲されることにより構成され、網本体４５の下面周縁部に固定されている。取付枠４６がエサ箱本体１２の上面２４に載置されると、錘枠４７は上記エサ収容室１８内に落下する。これにより、網本体４５は、上記エサ収容室１８内に垂下する。
【００５１】
６．ケース及び付属品
【００５２】
図１及び図３が示すように、上記ケース１１は、ケース本体４８と蓋４９とを備えている。これらは、樹脂（典型的にはエチレン酢酸ビニル共重合体：ＥＶＡ）からなる。ケース本体４８は、上面が開口され、内部に直方体の空間を有している。この空間にエサ箱本体１２が嵌め込まれている。すなわち、エサ箱本体１２の底面部及び側面部がケース本体４９によって囲繞されている。
【００５３】
図１及び図３が示すように、このケース本体４８の側面にポケット５３が設けられている。このポケット５３は、樹脂シートからなり、当該樹脂シートがケース本体４８の側面に熱融着されることにより形成される。このポケット５３にエサ取得網５０が着脱自在に設けられている。このエサ取得網５０は、小型の網５１と柄５２とを有し、上記エサ収容網１５に収容されているエサをすくい取るために使用される。また、ケース本体４８の側面にポケット５４が設けられている。このポケット５４も樹脂シートからなり、当該樹脂シートがケース本体４８の側面に熱融着されることにより形成される。このポケット５４に空気供給装置５５が着脱自在に設けられている。この空気供給装置５５は、エアポンプ５６及びチューブ５７とを備えており、エアポンプ５６から供給された空気がチューブ５７を介して上記エサ収容室１８内に導かれる。なお、御ケット５４の上部に固定ベルト７３が設けられている。この固定ベルト７３は、面ファスナー７４を介してポケット５４の側面に接着されるようになっている。これにより、ポケット５４に収容された空気供給装置５５が確実に保持される。また、ケース本体４８は、ショルダーベルト７５を備えている。これにより、釣人は、エサ箱１０の持ち運びが容易になる。このショルダーベルト７５、固定ベルト７３は、省略されてもよいことは勿論である。
【００５４】
蓋５０は、ファスナー５８を介してケース本体４８に取り付けられている。ファスナー５８が操作されることにより、図３が示すように蓋４９が開放され、エサ箱本体１２の上面２４が露出する。
【００５５】
図９は、図１におけるIX−IX断面図であり、蓋４９の断面形状を示している。
【００５６】
図２及び図９が示すように、蓋４９の外形形状は矩形であって、上記ファスナー５８を介してケース本体４８の上面に被せられている。図１及び図３が示すように、ファスナー５８は、ケース本体４８の正面５９から両側面４４に回り込んでいる。図９が示すように、蓋４９の背面６１は、ケース本体４８に接続（本実施形態では、熱融着）されている。したがって、ファスナー５８が全開されると、図３が示すように蓋４９が開くようになっている。
【００５７】
図９が示すように、蓋４９の上部６２（上面を構成する部分）は二重構造となっており、蓋４９が断熱性を備えている。当該上部６２の内部にコア６３と断熱材６４とが挿入されている。コア６３は、樹脂製の平板である。このコア６３が設けられることにより、蓋４９の剛性が向上している。断熱材６４の材質は特に限定されない。
【００５８】
図２及び図９が示すように、蓋４９に窓６５が設けられており、この窓６５を開閉する扉６６が蓋４９に設けられている。上記窓６５の形状は矩形であり、図２が示すように、蓋４９が閉じられた状態であっても、エサ箱本体１２の保冷剤収容室１７とエサ収容室１８の一部を露出させることができる。窓６５の形状は矩形に限定されるものではなく、少なくとも上記保冷剤収容室１７を露出させ、釣人が窓６５を通じて保冷剤１４を出し入れすることができる形状であればよい。
【００５９】
図１及び図２が示すように、上記扉６６は、扉本体６７と、把手６８とを有する。扉本体６７は、上記蓋４９の上部６２と同様に二重構造となっている。図９が示すように、扉本体６７の内部にコア６９と断熱材７０とが挿入されている。コア６９及び断熱材７０の材質は、上記コア６３及び断熱材６４と同様である。コア６９及び断熱材７０が設けられることにより、扉６６の剛性が向上している。扉本体６７の後縁に融着部７１が設けられており、この融着部７１が蓋４９の上面に熱融着されている。これにより、扉６６は蓋４９に対して俯仰動作することができ、図２が示すように扉６６が起立することによって窓６５が開放され、図１及び図９が示すように扉６６が倒伏することによって窓６５が閉じられる。図１及び図９が示すように、把手６８は、扉本体６７の前縁に形成されている。釣人は、この把手６８を把持することによって扉６６を簡単に開けることができる。図２及び図９が示すように、把手６８と蓋４９との間に面ファスナー７２が介在されている。これにより、扉６６が閉じられたときに当該閉じ状態が確実に保持される。
【００６０】
なお、本実施形態において、扉６６が省略されてもよいし、蓋４９が省略されてもよいことは勿論である。さらに、上記空気供給装置５５やエサ取得網５０も省略され得るし、エサ箱本体１２を覆うケース１１も省略され得る。
【００６１】
７．エサ箱の使い方
【００６２】
このエサ箱１０では、エサ収容室１８に生きたスジエビが水と共に収容され、保冷剤収容室１７に保冷剤１４が収容される（図２、図３参照）。エサ収容室１８と保冷剤収容室１７とを区画する仕切板１３に通路１９が形成されているから、この通路１９を介してエサ収容室１８と保冷剤収容室１７との間を上記水が対流する。保冷剤収容室１７に収容された保冷剤１４の温度は氷点下であるから、たとえエサ箱１０を炎天下に置いたとしても、エサ収容室１８内の温度の上昇が確実に抑えられ、スジエビが生きたまま保存される。
【００６３】
図７が示すように、仕切板１３は、収容室１６の容積に対する保冷剤収容室１７の容積の割合が１２％となる位置に配置されているから、氷点下の保冷剤１４の影響が抑えられる。つまり、エサ収容室１８が冷えすぎることにより、スジエビが弱ってしまうことが防止される。
【００６４】
図８が示すように、仕切板１３に設けられた通路１９は、円形の貫通孔からなるので、水の対流がスムーズである。また、この通路１９の面積（開口面積）は、仕切板１３の面積の６．５％に設定されているから、水の対流速度が抑えられる。つまり、エサ収容室１８が冷えすぎることが一層防止される。
【００６５】
本実施形態では、通路１９が８個の円形孔３４からなる。複数の円形孔３４が仕切板１３に配置されるので、上記水が均等にエサ収容室１８及び保冷剤収容室１７間を対流する。したがって、エサ収容室１８内の水の温度も均等になる。
【００６６】
本実施形態では、図５が示すように、保冷剤１４の外形形状が保冷剤収容室１７の内壁面形状に対応している。したがって、保冷剤１４は、保冷剤収容室１７に嵌め込まれて保持され、エサ箱１０が搬送される際に保冷剤１４ががたつくことが防止される。この場合、保冷剤収容室１７と保冷剤１４との間に形成される隙間が狭くなるので、上記水の対流が阻害されやすい。しかし、保冷剤１４の表面に凹部３９〜４２（図６参照）が形成されているから、保冷剤１４の表面積が増大すると共に、保冷剤収容室１７の内壁面と保冷剤１４との間の隙間が拡大する。その結果、上記水の対流が促進され、エサ収容室１７内の水の温度の上昇が確実に防止される。
【００６７】
本実施形態では、エサ箱本体１２はケース１１に収容されている。しかも、ケース１１に設けられた蓋４９は、断熱性を有し、エサ箱本体１２の開口２５（図３、図４参照）が閉じられる（図１参照）。これにより、エサ収容室１８内の水の温度の上昇が一層確実に防止される。また、この蓋４９が開放されることによって（図３参照）上記開口２５が露出するので、エサ箱本体１２がケース１１に収容されていても、釣人は、スジエビを容易にエサ収容室１８から取り出すことができる。
【００６８】
図２が示すように、蓋４９は窓６５を備えており、この窓６５を開閉する扉６６が設けられている。蓋４９が閉じられた状態であっても扉６６が開かれることにより保冷剤収容室１７が露出する。したがって、釣人は、蓋４９を開放せずに扉６６を開けるだけで、保冷剤１４を簡単に交換することができる。しかも、扉６６は、蓋４９よりも小さいから、扉６６が開放されることによるエサ収容室１８内の水温の上昇が抑えられる。
【００６９】
本実施形態では、エサ収容室１８内にエサ収容網１５が設けられているから、保存されるスジエビは、エサ収容網１８の中に入れられる。これにより、スジエビがエサ収容室１８の隅部に隠れてしまうことが防止される。したがって、釣人は、スジエビを容易にエサ収容室１８から取り出すことができる。
【００７０】
図１ないし図３が示すように、本実施形態では、空気供給装置５５が設けられているので、エサ収容室１８に空気が供給される。つまり、エサ収容室１８内に空気を供給し、上記水及びスジエビに酸素を供給することができる。これにより、スジエビが生きたまま長時間にわたって保存される。
【００７１】
さらに、エサ箱１０は、エサ取得網５０を備えているから、釣人は、スジエビを容易にすくい取ることができる。また、エサの種類にかかわらずエサ取得網５０によって簡単にエサがエサ収容室１８から取り出される。
【符号の説明】
【００７２】
１０・・・エサ箱
１１・・・ケース
１２・・・エサ箱本体
１３・・・仕切板
１４・・・保冷剤
１５・・・エサ収容網
１６・・・収容室
１７・・・保冷剤収容室
１８・・・エサ収容室
１９・・・通路
２０・・・内箱
２１・・・外箱
２４・・・上面
２５・・・開口
２９・・・仕切板固定部
３０・・・内壁面
３１・・・内壁面
３２・・・リブ
３３・・・リブ
３４・・・円形孔
３９・・・凹部
４０・・・凹部
４１・・・凹部
４２・・・凹部
４５・・・網本体
４６・・・取付枠
４７・・・錘枠
４８・・・ケース本体
４９・・・蓋
５０・・・エサ取得網
５３・・・ポケット
５４・・・ポケット
５５・・・空気供給装置
６３・・・コア
６４・・・断熱材
６５・・・窓
６６・・・扉
６９・・・コア
７０・・・断熱材
【図１】
0003200561.tif 000003
【図２】
0003200561.tif 000004
【図３】
0003200561.tif 000005
【図４】
0003200561.tif 000006
【図５】
0003200561.tif 000007
【図６】
0003200561.tif 000008
【図７】
0003200561.tif 000009
【図８】
0003200561.tif 000010
【図９】
0003200561.tif 000011